(57)【要約】【課題】椅子に座った状態で入ることが出来る椅子式コタツに掛ける布団であって、特別な椅子を使うことなく一般的な椅子を使用することでコタツ内へ隙間風が侵入しないようにした椅子式コタツ布団の提供。【解決手段】コタツ天板４に載る上面部１の縁にはスカート２，２…と上スカート３，３…を縫い付け、スカート２はコタツ天板４のコーナーを中心として各辺に沿ってスカート片７，７を延ばすと共に床面まで垂れ下がっている。そして、スカート片７の幅寸法は下側を大きくして隣のスカート２の下端部と重なり合い、逆にスカート上部の幅寸法を小さくして隣のスカート２との間に空間６を形成し、更に空間６を塞ぐ為に上スカート３を設けている。【選択図】　　　　図１
2004113280.tif 000002
【特許請求の範囲】
【請求項１】
椅子に座った状態で入ることが出来る椅子式コタツに掛ける布団であって、コタツ天板に載る上面部の縁にはスカートと上スカートを縫い付け、スカートはコタツ天板のコーナーを中心として各辺に沿ってスカート片を延ばすと共に床面まで垂れ下がり、そしてスカート片の幅寸法は下側を大きくすることで、隣のスカートの下端部と重なり合い、逆にスカート上部の幅寸法を小さくすることで隣のスカートとの間には空間を形成し、さらに空間を塞ぐために上スカートを設けたことを特徴とする椅子式コタツ布団。
【請求項２】
上記コタツ天板を長くすることで、スカートの間に別のスカートを設け、該スカートと上記天板コーナーを中心として設けたスカートの下端部を重ね合わせると共に、上部には空間を形成した請求項１記載の椅子式コタツ布団。
【請求項３】
上記天板のコーナーを中心として設けたスカートには、各スカート片を繋ぐヒダを設けた請求項１、又は請求項２記載の椅子式コタツ布団。
【発明の詳細な説明】
【０００１】
【発明の属する技術分野】
本発明は椅子に座って入ることが出来るように、高さが高いコタツに掛ける布団に関するものである。
【０００２】
【従来の技術】
コタツ布団にも色々あり、近年のコタツ布団はコタツに脚を入れた場合に隙間風が入らないように考慮されたものが数多く出願されている。特開平２０００−２９７９３４号に係る「コタツ布団」は、コタツ天板とほぼ同じ形状の天井部を有し、この天井部の外辺には各コーナーを中心としてヒダを設けた４枚のスカートを縫い付けすると共に、隣り合うスカートとは一部重なり合い、スカートの下縁部は床面に接することが出来る適当な長さとし、さらに上記天井部の各辺には上スカートを設けて重なり部を被覆したものである。
【０００３】
このように、上記コタツ布団は天井部の周辺にスカートを縫い付けている為に、位置ズレすることはなく、そして互いに重なり合う部分を押し開いてコタツに入り、この重なり部には上スカートが設けられている為に隙間風が侵入しないようになっている。
【０００４】
ところで、最近では床に座った状態で脚を入れるコタツだけでなく、椅子に腰掛けた状態で入ることが出来る背丈の高い椅子式コタツが使用されている。このような背丈の高い椅子式コタツであれば、従来の一般的に多用されている四角形の布団では、そのサイズが如何に大きくしても隙間風が侵入してしまう。そこで椅子式コタツに掛けることで、該コタツ内に隙間風が侵入しないように構成した従来の椅子式コタツ布団を示しているのが、図７である。
【０００５】
該コタツの天井は長方形を成し、長辺側には２個の椅子を、短辺側には１個の椅子を夫々配置することが出来る。そして該天板に掛ける布団としては、天板に載る上面部と該上面部の縁から下方へ垂下する側面部（イ）、（イ）・・を有し、この側面部（イ）、（イ）が長辺側には２枚、短辺側には１枚づつ設けられ、上面部から垂れ下がっている。そして、各側面部の間には繋ぎ部が設けられ、該繋ぎ部（ロ）は側面部（イ）、（イ）に縫い付けられている。
【０００６】
ただし、同図のＡ−Ａ断面拡大図を図８に示すように、ダブ付かせた状態で繋がっている。上記繋ぎ部（ロ）の形状は概略三角形を成し、下側程ダブ付が大きくなっていて、椅子（ハ）に座った状態でコタツに入った場合、側面部（イ）が持ち上がることで上記繋ぎ部（ロ）は椅子（ハ）になじみ、該椅子（ハ）との間に隙間（空間）を形成しないようにすることが出来る。すなわち、椅子（ハ）がコタツ内に入ることで側面部（イ）が持ち上げられ、両側面部（イ）、（イ）を繋いでいる繋ぎ部（ロ）は持ち上げられることなく、両側面部間の隙間を塞ぐことが出来る。
【０００７】
ただし、椅子（ハ）がコタツに入ることで、椅子（ハ）の脚（ニ）の部分に空間が形成される。この脚（ニ）によって形成される空間を通って空気が侵入する為に、使用される椅子（ハ）の脚（ニ）は該空間を形成しない形態としなくてはならない。すなわち、同図に示しているように、特別な椅子が使用される。又、一般的な椅子であるならば、図９に示しているように、脚の周囲にカバー（ホ）を取付けて、脚によってコタツ内部に連通する空間を塞ぐことが必要である。
【０００８】
【発明が解決しようとする課題】
このように、椅子式コタツに掛けるコタツ布団には上記のごとき問題がある。本発明が解決しようとする課題はこの問題点であり、特別な椅子を使うことなく、一般的な椅子を使用することでコタツ内へ隙間風が侵入しないようにした椅子式コタツ布団を提供する。
【０００９】
【課題を解決する為の手段】
本発明に係る椅子式コタツ布団は、コタツ天板とほぼ同じ形状の上面部を有し、この上面部の外辺には各コーナーを中心として４枚のスカートを縫い付けすると共に該スカート下端部は床に十分接することが出来る長さと成っている。そして隣り合う各スカートはその下側において重なり合い、上側には各スカート間に空間が形成されている。すなわち、スカートの横幅は上側が小さくて間には空間が形成され、下側は大きくなって両端部が重なり合っている。
【００１０】
そして、コタツ天板が大きくて上面部の外辺が長い場合には、コーナーのスカートの間に別のスカートを縫い付けることもある。そこで、各スカートの間に形成される空間から脚を挿入してコタツ内部へ入れることが出来る。従って、椅子は隣り合うスカートの間に配置される。さらに上記上面部には上スカートが縫い付けされ、該上スカートは上記スカート間に形成される空間を塞ぐ為に、両スカートの間に設けられる。ここで、上スカートは必ずしも床面に届く長さでなくもよい。以下、本発明に係る実施例を図面に基づいて詳細に説明する。
【００１１】
【実施例】
図１は本発明に係る椅子式コタツ布団が椅子式コタツに掛かっている場合を示している実施例である。同図の１は上面部、２はスカート、３は上スカートを表している。長方形のコタツ上板にはほぼ同じ大きさの上記上面部１が載り、そしてコタツ上板の各側辺からスカート２及び上スカート３が垂れ下がっている。スカート２は床面まで達しているが、上スカート３は途中で切れている。
【００１２】
スカート２ａ，２ａ・・はコタツ上板のコーナーを中心とし設けられ、スカート２ｂは長方形上板の長辺側中央に位置して垂れ下がっている。そして上スカート３，３・・は長方形上板の短辺側に１枚づつ、長辺側には２枚づつ設けられている。
【００１３】
図２は椅子式コタツカバーの正面図であるが、上スカート３，３を巻くって上面部１の上に被せた場合であり、コタツ上板４のコーナーに設けているスカート２ａ，２ａの間には別のスカート２ｂが垂れ下がっている。コーナーを中心として位置するスカート２ａはその中央部にヒダ５が設けられ、その為にスカート２ａは多少ダブ付いた状態で垂れ下がっている。これに対して、長辺側中央に設けられているスカート２ｂは平坦な生地から成って垂れ下がっている。
【００１４】
図３は中央のスカート２ｂを巻くった状態であり、同図に示すごとくスカート２ｂは概略台形を成して、下側程幅寸法が大きくなっている。一方のスカート２ａはコタツ天板４のコーナーを中心として位置し、そして長辺側と短辺側へスカート片７，７が延びた状態で垂れ下がっている。すなわち、中央のスカート２ｂを２分割して上記ヒダ５にて繋ぎ合わせ、各スカート片７，７を長辺側と短辺側に沿わせて垂れ下げている。長辺側及び短辺側に沿った各スカート片７，７は、下側の幅寸法が大きく成っている。
【００１５】
従って、スカート２ａとスカート２ｂ間では、その上部に空間６，６が形成され、しかし下端部では互いに重なりあって空間は存在しない。図３に示すように、スカート２ｂを巻くって、スカート２ａから分離できる。勿論、垂れ下がっているスカート２ｂのみならず、スカート２ａもコタツ上板に持ち上げることも自由に出来る。
【００１６】
図４にはコタツ上板の短辺側が分るように表されているが、短辺側にはスカート２ａ，２ａの夫々のスカート片７，７が垂れ下がっていて、下端部は互いに重なり合うが、上部には空間６が形成されている。そしてスカート２ａとスカート２ｂとの間に形成される空間の位置に椅子８が配置されている。同じように、長辺側に形成されている空間には別の椅子を配置することが出来、両短辺側には１個づつ椅子を配置出来る。従って、実施例のコタツでは合計６個の椅子を配置して正面に形成されている空間から脚をコタツ内へ入れることが出来る。
【００１７】
図５は椅子に腰掛けて脚を上記空間６からコタツ内部へ入れている場合を示している。そして図６は上スカート３を膝に掛けている場合である。このように、本発明のコタツ布団は、スカート間の上記空間６から脚を入れ、スカートの下端部は互いに重なり合っていることで隙間は存在していない。又、空間から脚を入れても、コタツ天板４との間には隙間が残される為に、該隙間を上スカート３を膝に掛けることで図６に示すごとく塞ぐことが可能となる。
【００１８】
実施例では、長方形のコタツ天板とすることで、長辺側に２個の空間を形成し、２個の椅子が配置出来、合計で６個の椅子に座って入ることが出来る場合を説明しているが、正方形のコタツ天板の場合には各辺に１個の空間を形成したり、又は２個づつの空間を形成することも可能である。そして、各スカート２ａ，２ｂの下端部は互いに重なりあって、隙間が出来ないようにしているが、簡単な粘着テープにて分離しないようにすることも出来る。
【００１９】
以上述べたように、本発明のコタツ布団は、コタツ天板のコーナーを中心としてスカートを垂れ下げ、又天板の辺が長い場合にはスカート間に別のスカートを垂れ下げて下端部を互いに重なり合わすと共に上端部には空間を形成し、そして該空間を塞ぐ為に上スカートを上面部の縁に縫い付けしたものであり、次のような効果を得ることが出来る。
【００２０】
【発明の効果】
本発明のコタツ布団は椅子に腰掛けた状態でスカート間に形成される空間から脚を入れてコタツ内に入ることが出来る。そしてスカートの下端部は互いに重なり合っている為に隙間は形成されず、しかも上部に形成される空間から脚を入れることで天板との間に残される隙間は上スカートを膝に掛けることで塞ぐことが出来る。従って、使用される椅子は、一般的なものでよく、椅子の脚部を塞ぐ必要もない。
【図面の簡単な説明】
【図１】椅子式コタツに掛けた本発明のコタツ布団。
【図２】椅子式コタツ布団の正面図で、上スカートを捲り上げた場合。
【図３】中央のスカート下端部を捲くった場合。
【図４】スカート間に形成される空間の位置に椅子を配置した場合。
【図５】スカート間の空間から椅子に座って脚を入れた状態。
【図６】脚とコタツ天板間の隙間を塞ぐ為の上スカートを膝に掛けた場合。
【図７】従来の椅子式コタツ布団。
【図８】図７におけるＡ−Ａ断面拡大図。
【図９】従来の椅子式コタツに使用される椅子。
【符号の説明】
１　上面部
２　スカート
３　上スカート
４　コタツ天板
５　ヒダ
６　空間
７　スカート片
８　椅子
【図１】
2004113280.tif 000003
【図２】
2004113280.tif 000004
【図３】
2004113280.tif 000005
【図４】
2004113280.tif 000006
【図５】
2004113280.tif 000007
【図６】
2004113280.tif 000008
【図７】
2004113280.tif 000009
【図８】
2004113280.tif 000010
【図９】
2004113280.tif 000011